(57)【要約】【課題】薄型テレビと同時に使用できるほど小型であってもすぐれた音響効果を示し、とりわけ、低音の再生に優れたスピーカー装置の提供。【解決手段】第１のスピーカー１１を内部に格納した箱状体である第１のボックス１０と、第２のスピーカー２１を内部に格納した箱状体である第２のボックス２０と、両ボックス１０、２０間に設けられた箱状体である第３のボックス３０と、ボックス１０、３０間を連通する第１のダクト４０と、ボックス２０、３０間を連通する第２のダクト５０と、を有し、スピーカー１１、２１は略同一方向にむけられ、さらに、第３のボックス３０にはスピーカー１１、２１と略同一方向にむけられた開口３５、３６と、上記開口３５、３６の略反対方向にむけられたさらなる開口３７、３８が設けられてなる、スピーカー装置１。【選択図】図１
2014140129.tif 000002
【特許請求の範囲】
【請求項１】
第１のスピーカーを内部に格納した箱状体である第１のボックスと、
第２のスピーカーを内部に格納した箱状体である第２のボックスと、
第１のボックスと第２のボックスとの間に設けられた箱状体である第３のボックスと、
第１のボックスと第３のボックスとを連通する第１のダクトと、
第２のボックスと第３のボックスとを連通する第２のダクトと、
を有し、
第１および第２のスピーカーは略同一方向にむけられ、さらに、第３のボックスには前記スピーカーと略同一方向にむけられた開口が設けられ、
第３のボックスには上記開口の略反対方向にむけられたさらなる開口が設けられてなる、スピーカー装置。
【請求項２】
第１および第２のボックスについて、それぞれのボックス内外の連通は、上記第１および第２のダクトのみである、請求項１記載のスピーカー装置。
【請求項３】
上記第１および第２のダクトの向きと、第３のスピーカーに設けられた開口の向きとは略直角である請求項１または２記載のスピーカー装置。
【発明の詳細な説明】
【技術分野】
【０００１】
本発明はスピーカーを格納した箱状体を有するスピーカー装置に関する。
【背景技術】
【０００２】
近時、テレビやオーディオ機器等の性能の向上、テレビ放送環境の充実などにより、高品質の音声・音響データを含むコンテンツを一般家庭でも享受できるようになっている。利用者にとってこれら高品質の音声・音響データを含むコンテンツを楽しむためには、音声・音響データを実際の音声・音響に変換するスピーカーの性能や配置が重要となる。いっぽう、テレビ等としてはいわゆる薄型テレビが主流になり、内蔵されるスピーカーは細く、しかも、テレビジョンの裏側に取り付けられるようになっており、ユーザーにとっては音が聞き取りやすいとは言いがたい。
【０００３】
従来、左右のスピーカーを１個のボックスにセットした「サウンドバー」と呼ばれる、追加的なスピーカー装置がテレビとともに使用されている。図２は従来のサウンドバーの模式図である。図２（Ａ）は前面図、図２（Ｂ）は横断面図、図２（Ｃ）は上部断面図である。従来のサウンドバー２は左右の箱状体６０、７０に分かれており、各々の箱状体６０、７０には視聴者に向けてそれぞれスピーカー６１、７１が格納されている。両スピーカー６１、７１は略同一方向に向けられている。両スピーカー６１、７１の背後にはダクト８０、９０が形成されていて、スピーカーの向きとは反対側に向けて開口している。両箱状体６０、７０は相互に連通されておらず、壁体で区切られている。なお、箱状体６０、７０には複数のスピーカーが格納されることもある。
【発明の開示】
【発明が解決しようとする課題】
【０００４】
上記のようなサウンドバーによれば、スピーカーを視聴者に向けて配置することや、スピーカーの背面にあるダクト８０、９０を用いた音響効果を期待することもできる。しかし、サウンドバー自体が細く小型であるため、低音の再生はなお不利であると言わざるを得ない。このことに鑑みて、本発明は、薄型テレビと同時に使用できるほど小型であってもすぐれた音響効果を示し、とりわけ、低音の再生に優れたスピーカー装置の提供を課題とする。
【課題を解決するための手段】
【０００５】
本発明者は鋭意検討した結果、以下のような本発明を完成した。
（１）第１のスピーカーを内部に格納した箱状体である第１のボックスと、第２のスピーカーを内部に格納した箱状体である第２のボックスと、第１のボックスと第２のボックスとの間に設けられた箱状体である第３のボックスと、第１のボックスと第３のボックスとを連通する第１のダクトと、第２のボックスと第３のボックスとを連通する第２のダクトと、を有し、第１および第２のスピーカーは略同一方向にむけられ、さらに、第３のボックスには前記スピーカーと略同一方向にむけられた開口が設けられ、第３のボックスには上記開口の略反対方向にむけられたさらなる開口が設けられてなる、スピーカー装置。
（２）第１および第２のボックスについて、それぞれのボックス内外の連通は、上記第１および第２のダクトのみである、（１）のスピーカー装置。
（３）上記第１および第２のダクトの向きと、第３のスピーカーに設けられた開口の向きとは略直角である（１）または（２）のスピーカー装置。
【発明の効果】
【０００６】
本発明によれば、左右のスピーカーと第１及び第２のボックスにより駆動された低音成分の音波がダクトを通じて第３のボックスに放射され、この放射における音波エネルギーのベクトルが第３のボックスからスピーカー装置外へ出る際に低音エネルギーが協調され、低音の再生が容易になる。とくに、第１及び第２のダクトの向きと、第３のボックスに設けられた開口の向きとが略直角である場合には、上述の協調がより実効的になる。
【図面の簡単な説明】
【０００７】
【図１】本発明のスピーカー装置の模式図である。図１（Ａ）は前面図、図１（Ｂ）は横断面図、図１（Ｃ）は上部断面図である。
【図２】従来のサウンドバーの模式図である。図２（Ａ）は前面図、図２（Ｂ）は横断面図、図２（Ｃ）は上部断面図である。
【発明を実施するための最良の形態】
【０００８】
以下、図面を参照しながら本発明を詳しく説明する。但し、図面は模式図であり、本発明は図示された態様に限定される訳ではない。
本発明によれば、スピーカー装置１は少なくとも３つの箱状体（ボックス）を有する。第１及び第２のボックス１０、２０にはそれぞれ少なくとも１つのスピーカーが格納されている。第３のボックス３０は第１のボックス１０と第２のボックス２０との間にあり、第１〜第３のボックスは、第１のボックス１０、第３のボックス３０、第２のボックス２０の順で、好ましくは直線状に並んでいる。各ボックスは板状物で区画されている。
【０００９】
第１のボックス１０内の少なくとも１つのスピーカーを第１のスピーカー１１と呼び、第２のボックス２０内の少なくとも１つのスピーカーを第２のスピーカー２１と呼ぶ。第１及び第２のスピーカー１１、２１は略同じ方向をむけて格納される。典型的には、スピーカー１１、２１は視聴者に向けるように格納される。
【００１０】
第１のボックス１０と第３のボックス３０とは第１のダクト４０によって連通している。第２のボックス２０と第３のボックス３０とは第２のダクト５０によって連通している。ダクトによる連通に関しては、音波が伝達するのに足りる程度の空気が通ればよい。第１のダクト４０と第２のダクト５０とは互いに直結していない。第１のダクト４０と第２のダクト５０とは好ましくはほぼ同じ方向に設けられている。より好適には、図示されるように、第１のダクト４０と第２のダクト５０とは同一直線上に設けられ、そのことによって、第１のスピーカー１１からの音波と第２のスピーカー２１からの音波とが、第３のボックス３０内で効率的にぶつかって本発明をより実効有らしめることができる。ダクトの材質は好ましくは木材、紙、塩化ビニール、プラスチック樹脂などである。ダクトの太さ、換言すると、長手方向に垂直な断面積は好ましくは９〜１５８．７６ｃｍ２である。
【００１１】
第３のボックスには開口が設けられている。第３のボックス３０には、少なくとも１つの、上記スピーカー１１、２１と略同一方向にむけられた開口を有している。図１の態様では、第３のボックス３０における開口３５、３６が、上述の「略同一方向にむけられた開口」に該当する。第３のボックス３０には、上述した第１及び第２のスピーカー１１、２１と略同一方向にむけた開口３５、３６に加えて、前記開口のほぼ反対（約１８０°）に向けられた開口３７、３８も設けられる。なお、図１では開口が４つ存在するように描写されているが、本発明では、第１及び第２のスピーカー１１、２１と略同一方向に向いた開口とその反対に向いた開口が少なくとも一つずつ存在すればよい。
【００１２】
ダクト４０、５０およびこのような開口３５〜３８があることで、低音再生がより容易になる。第１及び第２のボックス１０、２０に据えつけられたスピーカー１１、２１により駆動された低音の音波は、ダクト４０、５０から第３のボックス３０（センターボックス）に放射される。図１（Ｃ）に描写した矢印ＡＬおよびＡＲが上記音波の放射ベクトルを表す。左右からの音波のベクトルＡＬ、ＡＲは第３のボックス３０内でぶつかり協調させられ、これら音波のぶつかりによって低音エネルギー（圧力）を増幅させ、増幅された音波を開口３５〜３８から再放射させることができる。図１（Ｃ）に描写した矢印ＡｆおよびＡｈが再放射された音波のベクトルを表す。ここで、好適には、第３のボックス３０に設けられた開口３５〜３８はダクト４０、５０の方向とは略直角にむいている。このような構成により、上述した各音波のベクトルの協調がよりいっそう効率的に達成される。
【００１３】
好ましくは、第１のボックス１０について、当該ボックスの内外の空気の出入りが可能となる箇所は上述の第１のダクト４０のみである。これにより、第１のスピーカー１１から発する音が、効率的に、視聴者に向けられ、さらに低音域の音については第１のダクト４０を介して第３のボックス３０へ効率的に向けられる。同様の理由で、好ましくは、第２のボックス２０について、当該ボックスの内外の空気の出入りが可能となる箇所は上述の第２のダクト５０のみである。
【産業上の利用可能性】
【００１４】
本発明によれば、薄型テレビなどと組み合わせることで音声の迫力ある再生が可能となるサウンドバーの構築が可能である。
【符号の説明】
【００１５】
１、２  スピーカー装置
１０  第１のボックス
１１  第１のスピーカー
２０  第２のボックス
２１  第２のスピーカー
３０  第３のボックス
３５〜３８  開口
４０  第１のダクト
５０  第２のダクト
６０、７０  ボックス
６１、７２  スピーカー
８０、９０  ダクト
【図１】
2014140129.tif 000003
【図２】
2014140129.tif 000004